(57)【要約】【課題】系統への逆潮流を抑制しつつ複数の分散型電源の電力をより有効に活用することが可能なパワーコンディショナを提供する。【解決手段】電力系統および第１の分散型電源に接続されるパワーコンディショナは、電力系統から第１の分散型電源を切り離す第１の遮断器と、第１の分散型電源の電力を制御する制御機器とを備える。制御機器は、受電電力を監視する監視手段と、受電電力が動作設定値以下になった場合に、第１の遮断器を遮断動作させる遮断制御手段と、電力系統から第２の分散型電源を切り離すための第２の遮断器が遮断動作したことを示す動作信号の入力を受け付ける入力手段と、動作信号を受け付けたときの電力系統からの受電電力に基づいて、動作設定値よりも大きい値に予め設定された、電力系統から受電する電力を設定する受電電力設定値を補正する補正手段とを含む。【選択図】図１
2015050897.tif 000002
【特許請求の範囲】
【請求項１】
電力系統および第１の分散型電源に接続されるパワーコンディショナであって、
前記電力系統から前記第１の分散型電源を切り離すための第１の遮断器と、
前記第１の分散型電源の電力を制御するための制御機器とを備え、
前記制御機器は、
前記電力系統からの受電電力を監視するための監視手段と、
前記監視手段により監視されている前記電力系統からの受電電力が動作設定値以下になった場合に、前記第１の遮断器を遮断動作させるための遮断制御手段と、
前記電力系統から第２の分散型電源を切り離すための第２の遮断器が遮断動作したことを示す動作信号の入力を受け付けるための入力手段と、
前記動作信号を受け付けたときの前記電力系統からの受電電力に基づいて、前記動作設定値よりも大きい値に予め設定された、前記電力系統から受電する電力を設定する受電電力設定値を補正するための補正手段とを含む、パワーコンディショナ。
【請求項２】
電力系統および第１の分散型電源に接続されるパワーコンディショナであって、
前記電力系統から前記第１の分散型電源を切り離すための遮断器と、
前記第１の分散型電源の電力を制御するための制御機器とを備え、
前記制御機器は、
前記電力系統からの受電電力を監視するための監視手段と、
前記監視手段により監視されている前記電力系統からの受電電力が動作設定値以下になった場合に、前記遮断器を遮断動作させるための遮断制御手段と、
前記第１の分散型電源から出力される出力電力を監視するための出力監視手段と、
前記出力監視手段により監視される前記出力電力に基づいて、前記動作設定値よりも大きい値に予め設定された、前記電力系統から受電する電力を設定する受電電力設定値を補正するための補正手段とを備える、パワーコンディショナ。
【請求項３】
前記制御機器は、
前記第１の分散型電源に関する第１の電源情報および前記電力系統に接続される第２の分散型電源に関する第２の電源情報の入力を受け付けるための電源情報入力手段をさらに備え、
前記補正手段は、前記出力監視手段により監視される前記出力電力と、前記電源情報入力手段により受け付けられた前記第１および第２の電源情報とに基づいて、前記受電電力設定値を補正する、請求項２に記載のパワーコンディショナ。
【請求項４】
電力系統および第１の分散型電源に接続されるパワーコンディショナであって、
前記電力系統から前記第１の分散型電源を切り離すための遮断器と、
前記第１の分散型電源の電力を制御するための制御機器とを備え、
前記制御機器は、
前記電力系統からの受電電力を監視するための監視手段と、
前記監視手段により監視されている前記電力系統からの受電電力が動作設定値以下になった場合に、前記遮断器を遮断動作させるための遮断制御手段と、
前記電力系統に接続される第２の分散型電源に接続された負荷の消費電力に関する消費電力情報の入力を受け付けるための消費情報入力手段と、
前記消費情報入力手段により受け付けられた前記消費電力情報に基づいて、前記動作設定値よりも大きい値に予め設定された、前記電力系統から受電する電力を設定する受電電力設定値を補正する補正手段とを備える、パワーコンディショナ。
【請求項５】
電力系統および蓄電池に接続されるパワーコンディショナであって、
前記電力系統から前記蓄電池を切り離すための遮断器と、
前記蓄電池の電力を制御するための制御機器とを備え、
前記制御機器は、
前記電力系統からの受電電力を監視するための監視手段と、
前記監視手段により監視されている前記電力系統からの受電電力が動作設定値以下になった場合に、前記遮断器を遮断動作させるための遮断制御手段と、
前記蓄電池の電池残量を示す電池残量情報の入力を受け付けるための残量情報入力手段と、
前記蓄電池の充電時に、前記残量情報入力手段により受け付けられた前記電池残量に基づいて、前記動作設定値よりも大きい値に予め設定された、前記電力系統から受電する電力を設定する受電電力設定値を補正するための補正手段とを備える、パワーコンディショナ。
【発明の詳細な説明】
【技術分野】
【０００１】
本発明は、パワーコンディショナに関し、より特定的には、分散型電源の電力を制御するためのパワーコンディショナに関する。
【背景技術】
【０００２】
近年、太陽電池などの分散型電源をパワーコンディショナにより系統と連系させて、太陽電池の電力あるいは系統からの電力を負荷に供給し、夜間などの特定の時間帯に系統からの電力を電池などに貯蔵し必要に応じて放電する電力制御システムが知られている。
【０００３】
このような電力制御システムでは、分散型電源が系統と連系していることから、太陽電池の発電電力が負荷の消費電力よりも小さい場合はこの発電電力と系統から補われる電力とが負荷で消費される。また、太陽電池の発電電力が負荷の消費電力よりも大きい場合は負荷で消費されなかった余剰電力が系統に逆潮流電力として供給される場合もある。
【０００４】
ここで、太陽電池などの発電電力は、新しく創り出される電力であり、その余剰電力については、系統を介して広く活用することが望まれているものの、蓄電池などに蓄えられたエネルギーから得られる電力は、系統から充電したものであり再度系統へ逆潮流させることは望まれない場合もある。そのため、電力系統側へ自家用発電機の電力を流し出す、いわゆる逆潮流をしない電力制御システムでは系統と連系するために逆電力継電器（ＲＰＲ）、不足電力継電器（ＵＰＲ）の連系保護装置の設置が不可欠となる。
【０００５】
たとえば、特開平７−１２３５９６号公報（特許文献１）には、商用系統と連系運転される自家用発電設備の逆流防止装置が開示されている。当該逆流防止装置は、大容量負荷又は複数負荷の停止制御命令の入力により自家用発電機の出力を停止させる負荷容量分減少させる発電機出力制御装置と、発電機の出力減少を検出し大容量負荷又は複数負荷の停止動作指令を出力する発電機出力減少検出器とを含む。
【先行技術文献】
【特許文献】
【０００６】
【特許文献１】特開平７−１２３５９６号公報
【発明の概要】
【発明が解決しようとする課題】
【０００７】
特許文献１の技術は、負荷の容量に見合った分だけ発電装置側の出力も減少させて、逆電力または不足電力の発生を防止するものであるが、複数の異なる発電機が並列運転するときに、各々の発電機の電力を効率よく利用することについて考慮されたものではない。
【０００８】
本発明は、上記のような問題点を解決するためになされたものであって、パワーコンディショナに接続された分散型電源の電力を制御することにより、系統への逆潮流を抑制しつつ複数の分散型電源の電力をより有効に活用することが可能なパワーコンディショナを提供することを目的とする。
【課題を解決するための手段】
【０００９】
ある実施の形態に従うと、電力系統および第１の分散型電源に接続されるパワーコンディショナが提供される。パワーコンディショナは、電力系統から第１の分散型電源を切り離すための第１の遮断器と、第１の分散型電源の電力を制御するための制御機器とを備える。制御機器は、電力系統からの受電電力を監視するための監視手段と、監視手段により監視されている電力系統からの受電電力が動作設定値以下になった場合に、第１の遮断器を遮断動作させるための遮断制御手段と、電力系統から第２の分散型電源を切り離すための第２の遮断器が遮断動作したことを示す動作信号の入力を受け付けるための入力手段と、動作信号を受け付けたときの電力系統からの受電電力に基づいて、動作設定値よりも大きい値に予め設定された、電力系統から受電する電力を設定する受電電力設定値を補正するための補正手段とを含む。
【発明の効果】
【００１０】
ある局面では、パワーコンディショナに接続された分散型電源の電力を制御することにより、系統への逆潮流を抑制しつつ複数の分散型電源の電力をより有効に活用することが可能となる。
【図面の簡単な説明】
【００１１】
【図１】実施の形態１に従うパワーコンディショナが適用される電力制御システム１０００の全体の構成を概略的に示す図である。
【図２】実施の形態１に従う動作設定値および受電電力設定値の関係を示す図である。
【図３】実施の形態１に従う負荷変動に対する受電電力の推移を示す図である。
【図４】実施の形態１に従う制御機器の機能ブロック図である。
【図５】実施の形態２に従うパワーコンディショナが適用される電力制御システムの全体の構成を概略的に示す図である。
【図６】実施の形態２に従う動作設定値および受電電力設定値の関係を示す図である。
【図７】実施の形態２に従う動作設定値および受電電力設定値の関係の他の例を示す図である。
【図８】実施の形態２に従う制御機器の機能ブロック図である。
【図９】実施の形態３に従う動作設定値および受電電力設定値の関係を示す図である。
【図１０】実施の形態４に従うパワーコンディショナが適用される電力制御システムの全体の構成を概略的に示す図である。
【図１１】実施の形態４に従う制御機器の機能ブロック図である。
【図１２】実施の形態６に従うパワーコンディショナが適用される電力制御システム１３００の全体の構成を概略的に示す図である。
【図１３】実施の形態６に従う動作設定値および受電電力設定値の関係を示す図である。
【図１４】実施の形態６に従う制御機器の機能ブロック図である。
【図１５】実施の形態７に従う制御機器の機能ブロック図である。
【図１６】実施の形態８に従うパワーコンディショナが適用される電力制御システムの全体の構成を概略的に示す図である。
【図１７】実施の形態８に従う動作設定値および受電電力設定値の関係を示す図である。
【図１８】実施の形態８に従う制御機器の機能ブロック図である。
【発明を実施するための形態】
【００１２】
以下、本発明の実施の形態について図面を参照しながら詳細に説明する。なお、図中同一または相当部分には同一符号を付して、その説明を繰り返さない。
【００１３】
［実施の形態１］
＜全体構成＞
図１は、実施の形態１に従うパワーコンディショナ１１０が適用される電力制御システム１０００の全体の構成を概略的に示す図である。
【００１４】
図１を参照して、電力制御システム１０００は、第１の分散型電源としての蓄電池１００と、パワーコンディショナ１１０と、第２の分散型電源としての発電機２００と、遮断器２２０と、制御機器２４０と、家電機器３００と、電力検知器６００と、電力系統８００とを含む。電力制御システム１０００は、たとえば、住宅やオフィスなどの家屋内（需要家構内）に設置される。これは、以下の他の実施の形態における電力制御システムでも同様である。
【００１５】
蓄電池１００は、再充電可能な電力貯蔵要素であり、代表的にはリチウムイオン電池、ニッケル水素電池などの二次電池で構成される。蓄電池１００は、複数の電池セルを直列接続して構成されている。
【００１６】
発電機２００は、需要家構内において蓄電池１００と並列に接続されており、たとえば、太陽光発電機、風力発電機、地熱発電機、マイクロガスタービン（ＭＧＴ）発電機、燃料電池発電機などである。
【００１７】
家電機器３００は、各種の直流負荷、交流負荷などであり、たとえば、家庭で使用される空調機、冷蔵庫、洗濯機、テレビ、照明装置またはパーソナルコンピュータのような電気機器である。
【００１８】
電力検知器６００は、計器用変流器（図示しない）から導入した電流と計器用変圧器（図示しない）から導入した電圧により、電力の方向および大きさを判別し、需要家構内に供給される受電電力を検出する。
【００１９】
電力系統８００は、代表的には、単相３線式の商用交流電力系統である。単相３線式の商用交流電力系統は、中性線が抵抗を介して接地されており、たとえば、中性線以外の２線（Ｒ相線ＲＬおよびＴ相線ＴＬ）を使用してＡＣ２００Ｖを供給する。
【００２０】
パワーコンディショナ１１０は、電力系統８００および蓄電池１００に接続されており、蓄電池１００から出力される出力電力（放電電力）を必要に応じて電力変換し家電機器３００に供給する機能、および電力系統８００から電力を受電（買電）し、蓄電池１００に充電する機能を有する。つまり、パワーコンディショナ１１０は、蓄電池１００の充放電を制御する。また、パワーコンディショナ１１０は、電力検知器６００を介して電力系統８００から需要家構内に供給される電力（受電電力）および蓄電池１００の出力電力に基づいて、蓄電池１００の出力電力を増減し、電力系統８００からの受電電力が予め設定された受電電力設定値以下にならないように制御する。より具体的には、パワーコンディショナ１１０は、受電電力が受電電力設定値よりも大きい場合には、蓄電池１００の出力定格分または予め指定された電力分だけ蓄電池１００の電力を出力させる。また、パワーコンディショナ１１０は、家電機器３００の負荷が小さくなり、受電電力が受電電力設定値よりも小さくなろうとすると、蓄電池１００の出力電力を抑制して、受電電力が受電電力設定値以下にならないように制御する。
【００２１】
パワーコンディショナ１１０は、内部構成として、遮断器１２０と、電力変換装置１３０と、制御機器１４０とを含む。制御機器１４０は、パワーコンディショナ１１０の動作全体を制御するものであり、遮断器１２０および電力変換装置１３０に制御信号を送信して、蓄電池１００の電力を制御する。制御機器１４０は、制御中枢としての制御回路を含む。また、制御機器１４０は、その他の外部機器（たとえば、制御機器２４０）と通信するための通信回路を含んでいてもよい。なお、制御機器１４０は、回路等のハードウェア構成であってもよいし、ＣＰＵ（Central  Processing  Unit）（図示しない）を含み、ＣＰＵがメモリに格納されたプログラムを実行することによって実現される構成であってもよい。
【００２２】
また、本実施の形態では、パワーコンディショナ１１０は、遮断器１２０を内部構成とする場合について説明するが、遮断器１２０をパワーコンディショナ１１０の外部構成とし、パワーコンディショナ１１０からの遮断信号が遮断器１２０に出力される構成であってもよい。
【００２３】
制御機器１４０は、電力検知器６００で検知された電力系統８００からの受電電力を監視しながら、受電電力値が予め定められている動作設定値以下になった場合に、遮断器１２０を遮断動作させる。つまり、制御機器１４０で逆電力継電器（ＲＰＲ）機能を実現している。制御機器１４０は、受電電力が動作設定値（Ｒｐｒ１）以下になった場合に、遮断器１２０に対して動作信号を出力し、遮断器１２０は当該信号を受信すると遮断動作をする。これにより、蓄電池１００は、電力系統８００から切り離される（解列される）。
【００２４】
ここで、本明細書においては、電力が電力系統８００から需要家構内に流れる方向（買電方向）を順方向、電力が需要家構内から電力系統８００に流れる方向（売電方向）を逆方向とする。受電電力の大小関係は、順方向側が大であり逆方向側が小であるものとする。また、方向（順または逆）を示さず単に「受電電力が大きい（または小さい）」と記載されている場合は、「受電電力が順方向側に大きい（または小さい）」ことを意味するものとする。
【００２５】
電力変換装置１３０は、制御機器１４０からの指示に基づいて、蓄電池１００からの電力を変換して家電機器３００に供給したり（放電）、電力系統８００からの電力を変換して蓄電池１００に供給したり（充電）する。また、電力変換装置１３０は、制御機器１４０からの指示に基づいて、蓄電池１００における充電電力および放電電力の大きさも制御する。
【００２６】
制御機器２４０は、電力検知器６００を介して電力系統８００から需要家構内に供給される受電電力および発電機２００の出力電力に基づいて、発電機２００の出力電力を増減し、電力系統８００からの受電電力が予め設定された受電電力設定値以下にならないように制御する。なお、制御機器２４０は、回路等のハードウェア構成であってもよいし、ＣＰＵ（図示しない）を含み、ＣＰＵがメモリに格納されたプログラムを実行することによって実現される構成であってもよい。
【００２７】
制御機器２４０は、電力検知器６００で検知された電力系統８００からの受電電力を監視しながら、受電電力値が予め定められている動作設定値以下になった場合に、遮断器２２０を遮断動作させる。つまり、制御機器２４０でＲＰＲ機能を実現している。制御機器２４０は、受電電力が動作設定値（Ｒｐｒ２）以下になった場合に、遮断器２２０に対して遮断信号を出力し、遮断器２２０が当該信号を受信すると遮断動作をする。これにより、発電機２００は、電力系統８００から切り離される（解列される）。遮断器２２０が遮断動作すると、パワーコンディショナ１１０に対して当該遮断動作したことを示す動作信号が出力される。当該動作信号は、遮断器２２０が遮断されたときにパワーコンディショナ１１０に信号が送出されるように回路構成されていてもよいし、制御機器２４０が通信回路を含む場合には、通信により当該動作信号をパワーコンディショナ１１０に送信するように構成されていてもよい。
【００２８】
＜制御方式＞
電力制御システム１０００のように、需要家構内において分散型電源が複数並列接続されているような場合には、各々の分散型電源を電力系統８００から切り離すときの条件が異なることが想定される。具体的には、制御機器１４０が遮断器１２０を遮断動作させるときの動作設定値Ｒｐｒ１と、制御機器２４０が遮断器２２０を遮断動作させるときの動作設定値Ｒｐｒ２とが異なる場合が想定される。また、受電電力設定値は、負荷減少があっても逆電力現象などが発生しないように、動作設定値よりも大きく設定する必要があるため、制御機器１４０および２４０の動作設定値が異なる場合には、各々の受電電力設定値も異なるのが通常である。以下では、このような電力制御システム１０００において、電力を有効に活用するためのパワーコンディショナ１１０の制御方式について説明する。
【００２９】
図２は、実施の形態１に従う動作設定値および受電電力設定値の関係を示す図である。図２において、縦軸は受電電力であり横軸は時間を示している。縦軸の上方向は逆方向（売電方向）、縦軸の下方向は順方向（買電方向）を示している。
【００３０】
図２を参照して、制御機器１４０が遮断器１２０を遮断動作させる動作設定値Ｒｐｒ１は、制御機器２４０が遮断器２２０を遮断動作させる動作設定値Ｒｐｒ２よりも小さい（逆方向側に大きい）。これは、遮断器１２０が遮断器２２０よりも遮断動作しにくいことを示している。また、動作設定値Ｒｐｒ１よりも大きい値に予め設定された受電電力設定値α１（変更前）は、動作設定値Ｒｐｒ２よりも大きい値に予め設定された受電電力設定値α２よりも小さい。
【００３１】
ここで、具体例として、受電電力設定値α１（変更前）が１０Ｗ（ワット）、受電電力設定値α２が１００Ｗ、動作設定値Ｒｐｒ１が−１００Ｗ（逆方向に１００Ｗ）、動作設定値Ｒｐｒ２が−１０Ｗ、蓄電池１００の定格出力が１ｋＷ、発電機２００の定格出力が１ｋＷ、家電機器３００の負荷容量が２ｋＷである場合を想定する。制御機器１４０は、遮断器１２０が遮断動作しないようにするために、受電電力が受電電力設定値α１以下にならないように蓄電池１００の電力を制御する。制御機器２４０は、遮断器２２０が遮断動作しないようにするために、受電電力が受電電力設定値α２以下にならないように発電機２００の電力を制御する。しかし、受電電力設定値α２が受電電力設定値α１よりも大きいことから、発電機２００の出力の抑制が先に始まるため、蓄電池１００の電力が優先的に利用されることになる。具体的には、負荷容量が２ｋＷであり蓄電池１００の定格出力１ｋＷ以上であるため、制御機器１４０は、蓄電池１００を定格出力である１ｋＷまで出力するように制御する。制御機器２４０は、受電電力が受電電力設定値α２以下にならないように発電機２００の電力を制御するため、受電電力（点）は１００Ｗ、発電機２００の出力は９００Ｗとなる。
【００３２】
次に、家電機器３００の負荷が２ｋＷから１ｋＷに低下した場合について考える。この場合にも、受電電力設定値α２が受電電力設定値α１よりも大きいことから、家電機器３００の負荷が低下すると受電電力が小さくなり、発電機２００の出力の抑制が先に始まる。そのため、蓄電池１００の電力が優先的に利用されることになる。なお、家電機器３００の消費電力は１ｋＷであり蓄電池１００の定格出力１ｋＷと同等である。制御機器１４０は、受電電力が受電電力設定値α１以下にならないように蓄電池１００の電力を制御するため、受電電力は１０Ｗ、蓄電池１００の出力は９９０Ｗとなる。つまり、家電機器３００の消費電力は、蓄電池１００および受電点での電力で補うことが可能な状態となっている。制御機器２４０は、受電電力を受電電力設定値α２以下にならないように発電機２００の出力を制御するため、発電機２００の出力を０Ｗまで低下させる。この場合、受電電力（１０Ｗ）が、動作設定値Ｒｐｒ２（−１０Ｗ）の近傍であるため、遮断器２２０が遮断動作しやすい状態となっている。
【００３３】
実施の形態１に従うパワーコンディショナ１１０は、遮断器２２０が遮断動作した場合であっても再度の遮断動作を防ぐために、遮断器２２０が遮断動作したことを示す信号を受け付けると、図２に示すように受電電力設定値α１を受電電力設定値α１’（補正後）に補正する。以下の図３を参照して、パワーコンディショナ１１０の制御方式をさらに詳細に説明する。
【００３４】
図３は、実施の形態１に従う負荷変動に対する受電電力の推移を示す図である。ここでは、受電電力が動作設定値Ｒｐｒ２よりも小さい時間がＴ１以上である場合に、遮断器２２０が遮断動作するように設定されているものとする。
【００３５】
図３を参照して、パワーコンディショナ１１０により受電電力設定値を補正する前の受電電力の推移（図３の点線）では、負荷変動が小さい場合には受電電力が動作設定値Ｒｐｒ２以下の時間＜Ｔ１であるため、遮断器２２０は遮断動作しないが、負荷変動が大きい場合には受電電力が動作設定値Ｒｐｒ２以下の時間＞Ｔ１であるため、遮断器２２０は遮断動作する。
【００３６】
パワーコンディショナ１１０は、遮断器２２０が遮断動作したことを示す動作信号を受信すると、当該動作信号を受信したときの受電電力に基づいて、受電電力設定値を補正する。具体的には、パワーコンディショナ１１０は、補正前の受電電力設定値α１と、遮断器２２０の遮断動作時の受電電力との差分ΔＰ（差の絶対値）を算出し、受電電力設定値α１をΔＰだけ大きくする補正をして受電電力設定値α１’とする。
【００３７】
そうすると、パワーコンディショナ１１０により受電電力設定値の補正後の受電電力の推移（図３の実線）では、負荷変動が小さい場合にはもちろん遮断器２２０は遮断動作しないが、負荷変動が大きい場合であっても受電電力が動作設定値Ｒｐｒ２以下の時間＜Ｔ１であるため、遮断器２２０は遮断動作しない。このように、パワーコンディショナ１１０は、負荷変動により遮断器２２０が遮断動作した場合には、その遮断時の負荷変動の状況を考慮して受電電力設定値α１を補正するため、再度、遮断器２２０が遮断動作する可能性を低減することができる。
【００３８】
＜制御機器の機能構成＞
図４は、実施の形態１に従う制御機器１４０の機能ブロック図である。図４を参照して、制御機器１４０は、その主たる機能として、監視部１４１と、遮断制御部１４２と、入力部１４３と、補正部１４４とを含む。
【００３９】
監視部１４１は、電力系統８００からの受電電力を監視する。具体的には、監視部１４１は、常時、電力検知器６００を介して受電電力の電力推移を監視する。
【００４０】
遮断制御部１４２は、監視部１４１により監視されている受電電力が動作設定値Ｒｐｒ１以下になった場合に、遮断器１２０を遮断動作させる。具体的には、遮断制御部１４２は、遮断器１２０を遮断動作させるために遮断器１２０に遮断信号を送信する。
【００４１】
入力部１４３は、電力系統８００から発電機２００を切り離す遮断器２２０が遮断動作したことを示す動作信号の入力を受け付ける。具体的には、入力部１４３は、遮断器１２０から当該動作信号の入力を受け付ける。たとえば、制御機器１４０は、遮断器１２０が遮断動作すると信号が送信されるように回路構成されている。また、入力部１４３は、通信回路などの通信インターフェイスを介して、制御機器２４０から当該動作信号の入力を受け付ける場合であってもよい。
【００４２】
補正部１４４は、入力部１４３が当該動作信号を受け付けたときの受電電力に基づいて、動作設定値Ｒｐｒ１よりも大きい値に予め設定された受電電力設定値を補正する（すなわち、受電電力設定値を設定し直す）。具体的には、補正部１４４は、当該動作信号を受け付けたときに監視部１４１で監視された受電電力の値と、現在設定されている受電電力設定値との差分を算出し、その差分に基づいて受電電力設定値を補正する。さらに詳細には、補正部１４４は、現在の受電電力設定値を当該差分だけ大きくする補正をして補正後の受電電力設定値とする。
【００４３】
実施の形態１によると、パワーコンディショナは、制御対象とする分散型電源よりも先に電力系統から解列される他の分散型電源が並列接続されている場合には、他の分散型電源が電力系統から頻繁に解列される可能性を低減することができる。また、不要な遮断器の開閉動作を減らすことで、遮断器そのものの機械的および電気的寿命を延ばすこともできる。
【００４４】
［実施の形態２］
＜全体構成＞
図５は、実施の形態２に従うパワーコンディショナ１１０Ａが適用される電力制御システム１１００の全体の構成を概略的に示す図である。
【００４５】
図５を参照して、電力制御システム１１００は、第１の分散型電源としての蓄電池１００Ａと、パワーコンディショナ１１０Ａと、第２の分散型電源としての蓄電池１００Ｂと、パワーコンディショナ２１０と、家電機器３００と、電力検知器６００と、電力系統８００とを含む。蓄電池１００Ａ、蓄電池１００Ｂは、図１で示した蓄電池１００と同様であるため、その詳細な説明は繰り返さない。
【００４６】
実施の形態２に従うパワーコンディショナ１１０Ａの構成は、基本的には実施の形態１で説明したパワーコンディショナ１１０と同様であるため、以下に簡単に説明する。パワーコンディショナ１１０Ａは、電力系統８００および蓄電池１００Ａに接続されており、蓄電池１００Ａの充放電を制御する。パワーコンディショナ１１０Ａは、蓄電池１００Ａの出力電力を増減し、受電電力が受電電力設定値以下にならないように制御する。
【００４７】
パワーコンディショナ１１０Ａの制御機器１４０Ａは、受電電力を監視しながら、受電電力値が予め定められている動作設定値以下になった場合に、遮断器１２０を遮断動作させる。制御機器１４０Ａは、受電電力が動作設定値（Ｒｐｒ１）以下になった場合に、遮断器１２０に対して動作信号を出力し、遮断器１２０が当該信号を受信すると遮断動作をする。これにより、蓄電池１００Ａは、電力系統８００から切り離される（解列される）。また、制御機器１４０Ａは、電力変換装置１３０に指示して、蓄電池１００の充放電を制御する。
【００４８】
パワーコンディショナ２１０は、電力系統８００および蓄電池１００Ｂに接続されており、蓄電池１００Ｂの充放電を制御する。パワーコンディショナ２１０は、遮断器２２０と、電力変換装置２３０と、制御機器２４０Ａとを含む。
【００４９】
制御機器２４０Ａは、受電電力および蓄電池１００Ｂの出力電力に基づいて、蓄電池１００Ｂの出力電力を増減し、受電電力が予め設定された受電電力設定値以下にならないように制御する。そして、制御機器２４０Ａは、受電電力を監視しながら、受電電力値が予め定められている動作設定値以下になった場合に、遮断器２２０を遮断動作させる。制御機器２４０Ａは、受電電力が動作設定値（Ｒｐｒ２）以下になった場合に、遮断器２２０に対して遮断信号を出力し、遮断器２２０が当該信号を受信すると遮断動作をする。これにより、蓄電池１００Ｂは、電力系統８００から切り離される（解列される）。また、制御機器２４０Ａは、電力変換装置２３０に指示して、蓄電池１００Ｂの充放電を制御する。
【００５０】
＜制御方式＞
電力制御システム１１００のように、需要家構内において分散型電源が複数並列接続されており、各々の分散型電源が蓄電池であるような場合には、電池の劣化および効率を考慮すると、できるだけ均等に各々の蓄電池の電力を利用することが好ましい。動作設定値Ｒｐｒ１と、動作設定値Ｒｐｒ２とが異なり、受電電力設定値も異なる場合において、電力を有効に活用するためのパワーコンディショナ１１０Ａの制御方式について説明する。
【００５１】
図６は、実施の形態２に従う動作設定値および受電電力設定値の関係を示す図である。図６において、縦軸は受電電力であり横軸は蓄電池の出力である。具体的には、縦軸の上方向は逆方向（売電方向）、縦軸の下方向は順方向（買電方向）を示している。
【００５２】
図６を参照して、制御機器１４０Ａが遮断器１２０を遮断動作させる動作設定値Ｒｐｒ１は、制御機器２４０Ａが遮断器２２０を遮断動作させる動作設定値Ｒｐｒ２よりも小さい。図６では、動作設定値Ｒｐｒ２よりも大きい値に予め設定されている受電電力設定値α２は、蓄電池１００Ｂの出力によらず一定値であり、動作設定値Ｒｐｒ１よりも大きい値に予め設定されている受電電力設定値α１は、蓄電池１００Ａの出力（放電電力）に比例して大きくなることを示している。
【００５３】
ここで、受電電力設定値α１が、受電電力設定値α２と同様に対応する蓄電池１００Ａの出力によらず一定値であった場合について考える。具体例として、受電電力設定値α１が１０Ｗ、受電電力設定値α２が１００Ｗ、動作設定値Ｒｐｒ１が−１００Ｗ、動作設定値Ｒｐｒ２が−１０Ｗ、蓄電池１００Ａの定格出力が１ｋＷ、蓄電池１００Ｂの定格出力が１ｋＷ、家電機器３００の負荷が１．５ｋＷである場合を想定する。
【００５４】
このとき、制御機器１４０Ａは、受電電力が受電電力設定値α１以下にならないように蓄電池１００の電力を制御し、制御機器２４０Ａは、受電電力が受電電力設定値α２以下にならないように発電機２００の電力を制御する。しかし、受電電力設定値α１が受電電力設定値α２よりも小さいことから、蓄電池１００Ａは、制御機器１４０Ａにより定格出力である１ｋＷまで出力するように制御される。制御機器２４０Ａは、受電電力が受電電力設定値α２以下にならないように蓄電池１００Ｂを制御することから受電点は１００Ｗ、蓄電池１００Ｂの出力は４００Ｗとなる。すなわち、蓄電池１００Ａおよび１００Ｂにより利用される電力に偏りが生じてしまう。
【００５５】
したがって、実施の形態２に従うパワーコンディショナ１１０Ａは、並列に接続された複数の分散型電源の電力をより均等に利用するために、図６に示すように、蓄電池１００Ａの出力電力に応じて受電電力設定値を変化させていく。具体的には、パワーコンディショナ１１０Ａは、受電電力設定値α１を徐々に大きくしていく。そして、受電電力設定値α１が受電電力設定値α２よりも大きくなった場合には、蓄電池１００Ｂの出力が増大するとともに蓄電池１００Ａの出力が抑制されるため、蓄電池１００Ａの出力電力値が低下する。パワーコンディショナ１１０Ａは、蓄電池１００Ａの出力電力値が低下すると受電電力設定値α１を小さくしていく。すなわち、パワーコンディショナ１１０Ａが、出力電力に応じて受電電力設定値α１を変化させることで、受電電力設定値α１は受電電力設定値α２と同じ値（交差点）になるように設定される。
【００５６】
上記のように、受電電力設定値α１と受電電力設定値α２とが同じ値になるように制御されるため、蓄電池１００Ａおよび蓄電池１００Ｂの出力電力の偏りを低減することができる。すなわち、蓄電池１００Ａおよび１００Ｂの電力をより均等に活用することが可能となる。
【００５７】
次に、図７に示すように、受電電力設定値α２が受電電力設定値α１と同様に蓄電池１００Ｂの出力に応じて変化する場合について考える。
【００５８】
図７は、実施の形態２に従う動作設定値および受電電力設定値の関係の他の例を示す図である。図７において、縦軸は受電電力であり横軸は蓄電池の出力である。縦軸の上方向は逆方向（売電方向）、縦軸の下方向は順方向（買電方向）を示している。図７は、受電電力設定値α２が蓄電池１００Ｂの出力に比例して大きくなっている点で図６と異なる。
【００５９】
パワーコンディショナ１１０Ａは、上述したように蓄電池１００Ａの出力電力値に応じて受電電力設定値α１を変化させ、パワーコンディショナ２１０は、蓄電池１００Ｂの出力電力値に応じて受電電力設定値α２を変化させるため、結果的には図６の場合と同様に受電電力設定値α１は、受電電力設定値α２と同じ値（交差点）になるように設定される。
【００６０】
なお、パワーコンディショナ１１０Ａは、受電電力設定値α１を大きくする補正をしていき、蓄電池１００Ａの出力電力値が予め定められた値（たとえば、定格値）になるまでの間に出力電力値が低下しない場合には、その間においては、受電電力設定値α１が受電電力設定値α２と同じ値になるような箇所（交差点）が存在しないものと推定される。この場合、パワーコンディショナ１１０Ａは、蓄電池１００Ａの出力電力値の変化に対する受電電力設定値α１の変化（傾き）を増大させてもよい。
【００６１】
あるいは、パワーコンディショナ１１０Ａは、受電電力設定値α１を大きくする補正をして、予め定められた設定値以上になった場合には、電力系統８００に並列接続されている他の分散型電源は存在しないと判断してもよい。この場合、パワーコンディショナ１１０Ａは、受電電力設定値α１を大きくする補正を中断する。これにより、他の分散型電源が存在しない場合に、無駄に受電電力設定値α１を大きくする事態を防ぐことができ、パワーコンディショナ１１０Ａが制御対象とする蓄電池１００Ａの電力を有効に活用することができる。
【００６２】
＜制御機器の機能構成＞
図８は、実施の形態２に従う制御機器１４０Ａの機能ブロック図である。図８を参照して、制御機器１４０Ａは、その主たる機能として、監視部１４１と、遮断制御部１４２と、補正部１４４と、出力監視部１４５とを含む。監視部１４１および遮断制御部１４２は、それぞれ図４（実施の形態１）で示した監視部１４１、遮断制御部１４２と同様であるため、その詳細な説明は繰り返さない。
【００６３】
出力監視部１４５は、蓄電池１００Ａから出力される出力電力値を監視する。具体的には、出力監視部１４５は、常時、蓄電池１００Ａから放電される電力量および蓄電池１００Ａに充電される電力量を監視しており、蓄電池１００Ａの放電電力量の増減、充電電力量の増減を監視する。
【００６４】
補正部１４４は、蓄電池１００Ａの出力電力値に基づいて、動作設定値Ｒｐｒ１よりも大きい値に予め設定された受電電力設定値α１を補正する。具体的には、補正部１４４は、出力監視部１４５により蓄電池１００Ａの出力電力値が低下したと判断されるまで受電電力設定値α１を大きくする補正をする。詳細には、補正部１４４は、蓄電池１００Ａの出力電力値が大きくなるほど受電電力設定値α１を大きくする補正をし、蓄電池１００Ａの出力電力値が低下すると受電電力設定値α１を小さくする補正をする。
【００６５】
ある局面では、補正部１４４は、蓄電池１００Ａの出力電力値が予め定められた出力値になるまでの間に出力監視部１４５により出力電力値が低下したと判断されない場合には、受電電力設定値α１を補正する補正態様を変更する。具体的には、補正部１４４は、蓄電池１００Ａの出力電力量の変化に対する受電電力設定値α１の変化（傾き）を増大させるように補正態様を変更する。
【００６６】
別の局面では、補正部１４４は、受電電力設定値α１が予め定められた設定値になった場合には、受電電力設定値α１を大きくする補正を中断する。つまり、補正部１４４は、予め定められた設定値になるまで受電電力設定値α１を大きくしても、蓄電池１００Ａの出力電力値が低下しない場合には、電力系統８００に接続される他の分散型電源は存在しないと判断して補正を中断する。
【００６７】
実施の形態２によると、パワーコンディショナは、制御対象とする分散型電源および並列接続された他の分散型電源の電力をより均等に活用することが可能となる。また、分散型電源の電力利用の偏りが低減され、各々の寿命を延ばすことができる。
【００６８】
［実施の形態３］
実施の形態２では、パワーコンディショナ１１０Ａは、蓄電池１００Ａの出力電力値の大きさに比例して受電電力設定値α１を大きくするように補正する実施形態について説明した。実施の形態２の変形例としての実施の形態３では、パワーコンディショナ１１０Ａが、制御対象の分散型電源の電力と、他の分散型電源の電力とが交互に利用されるように制御する実施形態について説明する。
【００６９】
＜全体構成＞
実施の形態３に従うパワーコンディショナ１１０Ａが適用される電力制御システムの全体構成は、図５に示す実施の形態２に従う電力制御システム１２００の全体構成と同様であるため、その詳細な説明は繰り返さない。
【００７０】
＜制御方式＞
動作設定値Ｒｐｒ１と、動作設定値Ｒｐｒ２とが異なり、受電電力設定値も異なる場合において電力を有効に活用するための実施の形態３に従うパワーコンディショナ１１０Ａの制御方式について説明する。
【００７１】
図９は、実施の形態３に従う動作設定値および受電電力設定値の関係を示す図である。図９において、縦軸は受電電力であり横軸は蓄電池の出力である。縦軸の上方向は逆方向（売電方向）、縦軸の下方向は順方向（買電方向）を示している。
【００７２】
図９を参照して、制御機器１４０Ａが遮断器１２０を遮断動作させる動作設定値Ｒｐｒ１は、制御機器２４０Ａが遮断器２２０を遮断動作させる動作設定値Ｒｐｒ２よりも小さい。ここで、動作設定値Ｒｐｒ２よりも大きい値に予め設定されている受電電力設定値α２は、蓄電池１００Ｂの出力によらず一定値である。また、動作設定値Ｒｐｒ１よりも大きい値に予め設定されている受電電力設定値α１は、蓄電池１００Ａの出力によらず一定値であるが、以下に説明するように、予め定められた条件に基づいて受電電力設定値α２を境界として順方向および逆方向に変化するように制御される。
【００７３】
まず、受電電力設定値α１が受電電力設定値α２よりも小さい場合には、蓄電池１００Ａの電力が優先的に利用され、たとえば、蓄電池１００Ａは制御機器１４０Ａにより定格出力まで出力するように制御される。ここで、パワーコンディショナ１１０Ａは、蓄電池１００Ａが第１の閾値（たとえば、定格出力以下であって定格出力近傍の値）以上で動作している状態が一定時間（たとえば、５分間などユーザによって設定される時間）以上継続していると判断した場合には、徐々に受電電力設定値α１を大きくする補正（順方向側にシフトさせる補正）をする。受電電力設定値α１が受電電力設定値α２を超えると蓄電池１００Ｂの電力が優先的に利用されるようになり、たとえば、蓄電池１００Ｂは制御機器２４０Ａにより定格出力まで出力するように制御される。このとき、蓄電池１００Ａは、家電機器３００の消費電力（負荷容量）から蓄電池１００Ｂの出力および受電電力を差し引いた電力を出力するように制御される。つまり、家電機器３００の消費電力が蓄電池１００Ｂの出力および受電電力で補うことができる場合には、蓄電池１００Ａの出力は０Ｗとなる。
【００７４】
次に、パワーコンディショナ１１０Ａは、蓄電池１００Ａが第１の閾値よりも小さい第２の閾値（たとえば、０Ｗ以上であって０Ｗ近傍の値）以下で動作している状態が一定時間以上継続していると判断した場合には、徐々に受電電力設定値α１を小さくする補正（逆方向側にシフトさせる補正）をする。受電電力設定値α１が受電電力設定値α２を下回ると今度は蓄電池１００Ａが電力が優先的に利用されることになり、たとえば、蓄電池１００Ａは制御機器１４０Ａにより定格出力まで出力するように制御される。
【００７５】
上記のように、パワーコンディショナ１１０Ａが、蓄電池１００Ａの出力電力の状態に応じて受電電力設定値α１を増減させることで、蓄電池１００Ａおよび蓄電池１００Ｂの電力が交互に利用されることになる。
【００７６】
＜制御機器の機能構成＞
実施の形態３に従う制御機器１４０Ａの機能ブロックは、図８で示した実施の形態２に従う制御機器１４０Ａの機能ブロックと同様であるため、図８を参照して、実施の形態３に従う制御機器１４０Ａの機能構成について説明する。監視部１４１、遮断制御部１４２、および出力監視部１４５は、それぞれ上述した実施の形態２に従う監視部１４１、遮断制御部１４２、および出力監視部１４５と同様であるため、その詳細な説明は繰り返さない。
【００７７】
補正部１４４は、蓄電池１００Ａの出力電力値が第１の閾値以上である状態が一定時間以上継続していると出力監視部１４５により判断された場合に、受電電力設定値α１を大きくする補正をする。また、補正部１４４は、蓄電池１００Ａの出力電力値が第１の閾値よりも小さい第２の閾値以下である状態が一定時間継続していると出力監視部１４５により判断された場合に、受電電力設定値α１を小さくする補正をする。具体的には、補正部１４４は、受電電力設定値α１を大きくする補正をしていき、蓄電池１００Ａの出力電力値が低下した場合には、受電電力設定値α１を大きくする補正を中断して受電電力設定値α１をその状態で維持する。次に、補正部１４４は、蓄電池１００Ａの出力電力値が第２の閾値以下である状態が一定時間経過すると、受電電力設定値α１を小さくする補正をしていき、蓄電池１００Ａの出力電力値が増加したと判断された場合には、受電電力設定値α１を小さくする補正を中断して受電電力設定値α１をその状態で維持する。そして、補正部１４４は、蓄電池１００Ａの出力電力値が第１の閾値以上である状態が一定時間経過すると、再度受電電力設定値α１を大きくする補正をしていく。
【００７８】
実施の形態３によると、一方の分散型電源の電力と並列接続された他の分散型電源の電力とが交互に活用される。そのため、各分散型電源の電力利用の偏りが低減され、各々の寿命を延ばすことができる。
【００７９】
［実施の形態４］
実施の形態３では、各々の分散型電源をより均等に活用する場合について説明したが、実施の形態４では、より発電コストが小さい分散型電源を優先的に活用する場合について説明する。
【００８０】
＜全体構成＞
図１０は、実施の形態４に従うパワーコンディショナ１１０Ｂが適用される電力制御システム１２００の全体の構成を概略的に示す図である。
【００８１】
図１０を参照して、電力制御システム１２００は、第１の分散型電源としての発電機２００Ａと、第２の分散型電源としての発電機２００Ｂと、パワーコンディショナ１１０Ｂとを含む。電力制御システム１２００のその他の構成は、図５で示した電力制御システム１１００と同様であるため、その詳細な説明は繰り返さない。
【００８２】
パワーコンディショナ１１０Ｂは、電力系統８００および発電機２００Ａに接続されており、受電電力が受電電力設定値以下にならないように発電機２００Ａの電力を制御する。パワーコンディショナ１１０Ｂの制御機器１４０Ｂは、受電電力値が動作設定値（Ｒｐｒ１）以下になった場合に、遮断器１２０を遮断動作させる。制御機器１４０Ｂは、電力変換装置１３０に指示して、発電機２００Ａの出力を制御する。
【００８３】
また、パワーコンディショナ１１０Ｂは、発電機２００Ａおよび２００Ｂの電源情報として、外部から発電機２００Ａの発電効率を示す情報および発電機２００Ｂの発電効率を示す情報の入力を受け付ける。たとえば、パワーコンディショナ１１０は、タッチパネルを介してユーザから発電機２００Ａおよび２００Ｂの発電コストを示す情報の入力を受け付ける。
【００８４】
＜制御方式＞
ここで、実施の形態４では、図２に示す動作設定値および受電電力設定値の関係と同様に、制御機器１４０Ｂが遮断器１２０を遮断動作させる動作設定値Ｒｐｒ１は、制御機器２４０Ａが遮断器２２０を遮断動作させる動作設定値Ｒｐｒ２よりも小さいものとする。また、動作設定値Ｒｐｒ１よりも大きい値に予め設定された受電電力設定値α１（変更前）は、動作設定値Ｒｐｒ２よりも大きい値に予め設定された受電電力設定値α２よりも小さいものとする。
【００８５】
パワーコンディショナ１１０Ｂは、外部から受け付けた電源情報に基づいて、発電機２００Ａの発電効率が発電機２００Ｂの発電効率よりも高いと判断した場合には、発電機２００Ａの出力電力値が第１の閾値以上になるまで受電電力設定値α１を小さくする補正をする。図２に示すように、補正前の受電電力設定値α１が受電電力設定値α２よりも小さい場合には、すでに発電効率の高い発電機２００Ａの電力が優先利用されているため（つまり、出力電力値が第１の閾値以上になっている）、受電電力設定値α１は補正前の状態で維持される。
【００８６】
一方、パワーコンディショナ１１０Ｂは、発電機２００Ａの発電効率が発電機２００Ｂの発電効率よりも低いと判断した場合には、発電機２００Ａの出力電力値が第１の閾値よりも小さい第２の閾値以下になるまで受電電力設定値α１を大きくする補正をする。これにより、発電効率の高い発電機２００Ｂの電力が優先的に利用される。
【００８７】
＜制御機器の機能構成＞
図１１は、実施の形態４に従う制御機器１４０Ｂの機能ブロック図である。図１１を参照して、制御機器１４０Ｂは、その主たる機能として、監視部１４１と、遮断制御部１４２と、補正部１４４と、出力監視部１４５と、電源情報入力部１４６とを含む。監視部１４１、遮断制御部１４２、および出力監視部１４５は、それぞれ図８で示した実施の形態２に従う監視部１４１、遮断制御部１４２、および出力監視部１４５と同様であるため、その詳細な説明は繰り返さない。
【００８８】
電源情報入力部１４６は、発電機２００Ａに関する電源情報および発電機２００Ｂに関する電源情報の入力を受け付ける。具体的には、電源情報入力部１４６は、発電機２００Ａの発電効率を示す情報と、発電機２００Ｂの発電効率を示す情報の入力を受け付ける。たとえば、電源情報入力部１４６は、タッチパネルを介してユーザから当該情報を受け付けてもよいし、通信インターフェイスを介して発電機２００Ａおよび２００Ｂ（あるいは、当該情報を有する外部サーバ）から通信により当該情報を受け付けてもよい。
【００８９】
補正部１４４は、発電機２００Ａの出力電力値と、発電機２００Ａおよび２００Ｂの電源情報とに基づいて、受電電力設定値α１を補正する。具体的には、補正部１４４は、発電機２００Ａの発電効率が発電機２００Ｂの発電効率よりも高い場合には、発電機２００Ａの出力電力値が第１の閾値以上になるまで受電電力設定値α１を小さくする補正をする。具体的には、補正部１４４は、受電電力設定値α１を小さくする補正をしていき、発電機２００Ａの出力電力値が第１の閾値以下になったと判断された場合には、受電電力設定値α１を小さくする補正を中断して受電電力設定値α１をその状態で維持する。
【００９０】
一方、補正部１４４は、発電機２００Ａの発電効率が発電機２００Ｂの発電効率よりも低い場合には、発電機２００Ａの出力電力値が第２の閾値以下になるまで受電電力設定値α１を大きくする補正をする。具体的には、補正部１４４は、受電電力設定値α１を大きくする補正をしていき、発電機２００Ｂの出力電力値が第２の閾値以下になったと判断された場合には、受電電力設定値α１を大きくする補正を中断して受電電力設定値α１をその状態で維持する。
【００９１】
実施の形態４によると、パワーコンディショナ１１０Ｂが制御対象とする分散型電源および並列接続された他の分散型電源において、発電効率の高い分散型電源を優先的に利用することが可能となる。
【００９２】
［実施の形態５］
実施の形態４では、より発電コストが小さい分散型電源を優先的に利用する場合について説明したが、実施の形態４の変形例としての実施の形態５では、自然エネルギーを利用する分散型電源の電力を優先的に利用する場合について説明する。
【００９３】
パワーコンディショナ１１０Ｂの制御機器１４０Ｂ（電源情報入力部１４６）は、外部から発電機２００Ａが自然エネルギーを利用するものか否かを示す情報、および発電機２００Ｂが自然エネルギーを利用するものか否かを示す情報の入力を受け付ける。
【００９４】
制御機器１４０Ｂ（補正部１４４）は、発電機２００Ａが自然エネルギーを利用するものであり、発電機２００Ｂが自然エネルギーを利用しないものであると判断した場合には、発電機２００Ａの出力電力値が第１の閾値以上になるまで受電電力設定値α１を小さくする補正をする。具体的には、制御機器１４０Ｂ（補正部１４４）は、受電電力設定値α１を小さくする補正をしていき、発電機２００Ａの出力電力値が第１の閾値以上になったと判断した場合には、受電電力設定値α１を小さくする補正を中断して受電電力設定値α１をその状態で維持する。図２のように、補正前の状態で受電電力設定値α１が受電電力設定値α２よりも小さい場合には、すでに自然エネルギーを利用する発電機２００Ａの電力が優先利用されているため（つまり、出力電力値が第１の閾値以上になっている）、受電電力設定値α１は補正前の状態で維持される。
【００９５】
一方、制御機器１４０Ｂ（補正部１４４）は、発電機２００Ａが自然エネルギーを利用しないものであり、発電機２００Ｂが自然エネルギーを利用するものであると判断した場合には、発電機２００Ａの出力電力値が第１の閾値よりも小さい第２の閾値以下になるまで受電電力設定値α１を大きくする補正をする。具体的には、制御機器１４０Ｂ（補正部１４４）は、受電電力設定値α１を大きくする補正をしていき、発電機２００Ａの出力電力値が第２の閾値以下になったと判断した場合には、受電電力設定値α１を大きくする補正を中断して受電電力設定値α１をその状態で維持する。これにより、自然エネルギーを利用する発電機２００Ｂの電力が優先的に利用される。
【００９６】
実施の形態５によると、パワーコンディショナ１１０Ｂが制御対象とする分散型電源および並列接続された他の分散型電源において、自然エネルギーを利用する分散型電源を優先的に利用することが可能となる。
【００９７】
［実施の形態６］
＜全体構成＞
図１２は、実施の形態６に従うパワーコンディショナ１１０Ｃが適用される電力制御システム１３００の全体の構成を概略的に示す図である。
【００９８】
図１２を参照して、電力制御システム１３００は、パワーコンディショナ１１０Ｃと、負荷部としてのヒータ７００とを含む。電力制御システム１３００のその他の構成は、電力制御システム１０００と同様であるため、その詳細な説明は繰り返さない。ここでは、発電機２００は、蓄電池１００と比較して負荷変動に追従しにくい燃料電池発電機であるものとする。
【００９９】
パワーコンディショナ１１０Ｃは、受電電力が受電電力設定値以下にならないように蓄電池１００の電力を制御する。パワーコンディショナ１１０Ｃの制御機器１４０Ｃは、受電電力値が動作設定値（Ｒｐｒ１）以下になった場合に、遮断器１２０を遮断動作させる。制御機器１４０Ｃは、電力変換装置１３０に指示して、蓄電池１００の出力を制御する。また、制御機器１４０Ｃは、制御機器２４０Ｂからヒータ７００での消費電力量を示す消費電力情報の入力を受け付ける。
【０１００】
制御機器２４０Ｂは、受電電力が予め設定された受電電力設定値以下にならないように発電機２００の電力を制御する。制御機器２４０Ｂは、受電電力値が動作設定値（Ｒｐｒ２）以下になった場合に、遮断器２２０を遮断動作させる。制御機器２４０Ｂは、ヒータ７００での消費電力量を監視しており、当該消費電力量を示す消費電力情報を制御機器１４０Ｃに送信する。
【０１０１】
ヒータ７００は、家電機器３００の負荷変動に追従しにくい（応答遅れが生じる）発電機２００から出力される電力を吸収するための負荷として設けられている。ヒータ７００での電力消費は、電力制御システム１３００の電力効率の低下をもたらすため、できるだけ抑制される必要がある。
【０１０２】
＜制御方式＞
図１３は、実施の形態６に従う動作設定値および受電電力設定値の関係を示す図である。図１３において、縦軸は受電電力であり横軸は時間である。縦軸の上方向は逆方向（売電方向）、縦軸の下方向は順方向（買電方向）を示している。
【０１０３】
図１３を参照して、動作設定値Ｒｐｒ１は、動作設定値Ｒｐｒ２よりも小さく、受電電力設定値α１（補正前）は、受電電力設定値α２よりも大きい。受電電力設定値α１が受電電力設定値α２よりも大きいことから、発電機２００の電力が優先的に利用される。この場合、発電機２００が家電機器３００の負荷容量の変動に追従できない場合には、発電機２００からの出力はヒータ７００で消費されている可能性がある。制御機器１４０Ｃは、制御機器２４０Ｂからヒータ７００での消費電力情報を受信すると、蓄電池１００の電力を優先的に利用するため、受電電力設定値α１を小さくする補正をする。具体的には、制御機器１４０Ｃは、ヒータ７００での消費電力量が予め定められた消費値以下になるまで受電電力設定値α１を小さくする補正をする。このとき、蓄電池１００の電力が優先的に利用され、発電機２００の出力は抑制されることからヒータ７００での電力消費を回避することができる。
【０１０４】
＜制御機器の機能構成＞
図１４は、実施の形態６に従う制御機器１４０Ｃの機能ブロック図である。図１４を参照して、制御機器１４０Ｃは、その主たる機能として、監視部１４１と、遮断制御部１４２と、補正部１４４と、消費情報入力部１４７とを含む。監視部１４１および遮断制御部１４２、それぞれ図４で示した監視部１４１、遮断制御部１４２と同様であるため、その詳細な説明は繰り返さない。
【０１０５】
消費情報入力部１４７は、ヒータ７００の消費電力に関する消費電力情報の入力を受け付ける。具体的には、消費情報入力部１４７は、通信インターフェイスを介して制御機器２４０Ｂから当該情報を受信する。消費電力情報は、ヒータ７００の消費電力量を示す情報を含む。
【０１０６】
補正部１４４は、当該消費電力情報に基づいて、受電電力設定値α１を補正する。具体的には、補正部１４４は、ヒータ７００の消費電力が予め定められた消費電力値以下になるまで受電電力設定値α１を小さくする補正をする。補正部１４４は、受電電力設定値α１を小さくする補正をしていき、ヒータ７００の消費電力量が予め定められた消費電力値以下になったと判断した場合には、受電電力設定値α１を大きくする補正を中断して受電電力設定値α１をその状態で維持する。これにより、蓄電池１００の電力が優先的に利用されるようになり、ヒータ７００での消費電力が抑制される。
【０１０７】
なお、消費電力情報は、ヒータ７００の消費電力量が予め定められた消費電力値以上であることを示す情報を含んでもよい。この場合、補正部１４４は、消費情報入力部１４７が当該消費電力情報を受信している間は、ヒータ７００の消費電力量が予め定められた消費電力値以上であると判断して、受電電力設定値α１を小さくする補正をする。そして、補正部１４４は、消費情報入力部１４７が当該消費電力情報を受信しなくなった場合に、ヒータ７００の消費電力量が予め定められた消費電力値未満であると判断して、受電電力設定値α１を小さくする補正を中断する。
【０１０８】
実施の形態６によると、パワーコンディショナが分散型電源の電力を制御することで、負荷変動に追従しにくい他の分散型電源に接続されたヒータでの電力消費を回避し、電力制御システム全体として効率よく電力を利用することができる。
【０１０９】
［実施の形態７］
実施の形態６では、ヒータ７００で電力を消費させないために、蓄電池１００からの電力を優先的に利用する場合について説明した。実施の形態７では、蓄電池１００を充電制御して負荷として利用することで、発電機２００からの出力を補う実施形態について説明する。
【０１１０】
＜全体構成＞
実施の形態７に従う電力制御システムの全体構成は、図１２に示す実施の形態６に従う電力制御システム１３００と同様である。ただし、パワーコンディショナの機能が一部異なることから、説明の容易化のため、実施の形態７に従うパワーコンディショナを特に、パワーコンディショナ１１０Ｄと称し、実施の形態７に従う制御機器を制御機器１４０Ｄと称する。
【０１１１】
＜制御方式＞
ここで、実施の形態７では、図１３に示すように、動作設定値Ｒｐｒ１は、動作設定値Ｒｐｒ２よりも小さく、受電電力設定値α１（変更前）は、受電電力設定値α２よりも大きいものとする。受電電力設定値α１が受電電力設定値α２よりも大きいことから、発電機２００の電力が優先的に利用される。家電機器３００の負荷容量の変動に追従できない場合には、発電機２００からの出力はヒータ７００で消費される。制御機器２４０Ｂは、ヒータ７００での消費電力量を示す消費電力情報を制御機器１４０Ｄに送信する。
【０１１２】
実施の形態６に従うパワーコンディショナ１１０Ｃは、蓄電池１００からの電力を優先的に利用するため受電電力設定値α１を小さくする補正をしたが、実施の形態７に従うパワーコンディショナ１１０Ｄは、蓄電池１００を充電制御することで負荷として利用するため受電電力設定値α１を受電電力設定値α２よりも大きい状態で維持する。
【０１１３】
具体的には、実施の形態７に従うパワーコンディショナ１１０Ｄは、蓄電池１００Ａの出力電力値が低下するまで受電電力設定値α１を大きくするように補正して、その状態で受電電力設定値α１を維持する。そして、パワーコンディショナ１１０Ｄは、電力変換装置１３０に指示して、ヒータ７００での消費電力量がゼロになるまで蓄電池１００を充電制御する。
【０１１４】
＜制御機器の機能構成＞
図１５は、実施の形態７に従う制御機器１４０Ｄの機能ブロック図である。図１５を参照して、制御機器１４０Ｄは、その主たる機能として、監視部１４１と、遮断制御部１４２と、補正部１４４と、出力監視部１４５と、消費情報入力部１４７と、電力制御部１４９とを含む。監視部１４１、遮断制御部１４２、および出力監視部１４５は、図８で示したものと同様であり、消費情報入力部１４７は図１４で説明したものと同様であるため、その詳細な説明は繰り返さない。
【０１１５】
補正部１４４は、出力監視部１４５により蓄電池１００Ａの出力電力値が低下したと判断されるまで受電電力設定値α１を大きくするように補正して、その状態で受電電力設定値α１を維持する。
【０１１６】
電力制御部１４９は、消費情報入力部１４７が受け付けた消費電力情報に基づいて、ヒータ７００の消費電力が予め定められた消費電力値以上になった場合に、蓄電池１００を充電制御するように電力変換装置１３０に指示する。具体的には、電力制御部１４９は、消費電力値がゼロになるまで充電制御を続行するように指示する。
【０１１７】
実施の形態７によると、パワーコンディショナがヒータでの消費電力に基づいて分散型電源を充電制御することで、負荷変動に追従しにくい他の分散型電源に接続されたヒータでの電力消費を回避し、電力制御システム全体として効率よく電力を利用することができる。
【０１１８】
［実施の形態８］
実施の形態７では、ヒータ７００で電力を消費させないために、パワーコンディショナ１１０Ｄは、蓄電池１００を充電制御して負荷として利用することで、発電機２００の電力を補う実施形態について説明した。ここで、蓄電池１００の電池残量が少なくなってくると、充電電力を増大できないため蓄電池１００が負荷変動に追従しなくなる。そこで、実施の形態８に従うパワーコンディショナ１１０Ｅは、蓄電池１００の電池残量に応じて受電電力設定値α１を変化させる実施形態について説明する。
【０１１９】
＜全体構成＞
図１６は、実施の形態８に従うパワーコンディショナ１１０Ｅが適用される電力制御システム１４００の全体の構成を概略的に示す図である。
【０１２０】
図１６を参照して、実施の形態８に従う電力制御システム１４００の全体構成は、パワーコンディショナ１１０Ｅを含む点で、図１２に示す電力制御システム１３００と異なる。電力制御システム１４００のその他の構成は、電力制御システム１３００と同様であるため、その詳細な説明は繰り返さない。
【０１２１】
パワーコンディショナ１１０Ｅは、受電電力が受電電力設定値以下にならないように蓄電池１００の電力を制御する。パワーコンディショナ１１０Ｅの制御機器１４０Ｅは、受電電力値が動作設定値（Ｒｐｒ１）以下になった場合に、遮断器１２０を遮断動作させる。制御機器１４０Ｅは、電力変換装置１３０に指示して、蓄電池１００の出力を制御する。また、制御機器１４０Ｅは、蓄電池１００から蓄電池１００の電池残量を示す情報を取得する。
【０１２２】
＜制御方式＞
図１７は、実施の形態８に従う動作設定値および受電電力設定値の関係を示す図である。図１７において、縦軸は受電電力であり横軸は蓄電池１００の電池残量（ＳＯＣ：State  of  Charge）（％）である。縦軸の上方向は逆方向（売電方向）、縦軸の下方向は順方向（買電方向）を示している。ＳＯＣは、満充電容量に対する現在の残容量を百分率（０〜１００％）で示したものである。
【０１２３】
図１７を参照して、動作設定値Ｒｐｒ１は、動作設定値Ｒｐｒ２よりも小さい。受電電力設定値α２は一定値であるが、受電電力設定値α１は蓄電池１００の電池残量が大きくなるほど小さくなっていることがわかる。つまり、パワーコンディショナ１１０Ｅは、電池残量が大きくなるほど、蓄電池１００に電力が充電されにくくなるように制御する。これにより、家電機器３００における負荷変動に対する変動許容量を大きくすることで遮断器の遮断動作を防止することができる。
【０１２４】
＜制御機器の機能構成＞
図１８は、実施の形態８に従う制御機器１４０Ｅの機能ブロック図である。図１５を参照して、制御機器１４０Ｅは、その主たる機能として、監視部１４１と、遮断制御部１４２と、補正部１４４と、残量情報入力部１４８と、電力制御部１４９とを含む。監視部１４１、遮断制御部１４２、および電力制御部１４９は、図１５で示したものと同様であるため、その詳細な説明は繰り返さない。
【０１２５】
残量情報入力部１４８は、蓄電池１００の電池残量を示す電池残量情報の入力を受け付ける。具体的には、残量情報入力部１４８は、通信インターフェイスを介して蓄電池１００から当該情報を受信する。
【０１２６】
補正部１４４は、電力制御部１４９により蓄電池１００が充電制御されている場合に、残量情報入力部１４８により受け付けられた蓄電池１００の電池残量に基づいて、受電電力設定値α１を補正する。具体的には、補正部１４４は、蓄電池１００の電池残量が大きくなるほど、受電電力設定値α１を大きくする補正をする。
【０１２７】
実施の形態８によると、蓄電池の負荷変動に対する変動許容量を大きくすることで遮断器の遮断動作を防止することができる。
【０１２８】
なお、上記実施の形態８に従う電力制御システム１４００では、発電機２００と蓄電池１００とが並列で運転している場合に、蓄電池１００が電池残量に応じて受電電力設定値を変化させる形態について説明したが、たとえば、実施の形態２に従う電力制御システム１１００のように、２つの蓄電池１００Ａ，１００Ｂが並列で運転している場合について、実施の形態８に従う蓄電池の構成を採用することも可能である。つまり、蓄電池１００Ａ，１００Ｂが電池残量に応じて受電電力設定値を変化させる形態であってもよい。たとえば、電力を出力している側の蓄電池の残量が予め設定された残量値以下になった場合に、出力側の蓄電池の受電電力設定値を他方（（電力を充電している側）の蓄電池の受電電力設定値よりも小さくなるように変化させれば、他方の蓄電池から電力が出力されるように切り替えることができるため、各々の蓄電池を均等に利用することが可能となる。
【０１２９】
［まとめ］
本発明の実施の形態は次のように要約することができる。
【０１３０】
（１）電力系統８００および蓄電池１００に接続されるパワーコンディショナ１１０であって、電力系統８００から蓄電池１００を切り離すための遮断器１２０と、蓄電池１００の電力を制御するための制御機器１４０とを備え、制御機器１４０は、電力系統８００からの受電電力を監視するための監視部１４１と、監視部１４１により監視されている電力系統８００からの受電電力が動作設定値Ｒｐｒ以下になった場合に、遮断器１２０を遮断動作させるための遮断制御部１４２と、電力系統８００から発電機２００を切り離すための遮断器２２０が遮断動作したことを示す動作信号の入力を受け付けるための入力部１４３と、動作信号を受け付けたときの電力系統８００からの受電電力に基づいて、動作設定値Ｒｐｒよりも大きい値に予め設定された、電力系統８００から受電する電力を設定する受電電力設定値α１を補正するための補正部１４４とを含む、パワーコンディショナ１１０。
【０１３１】
上記構成によると、パワーコンディショナ１１０が制御対象とする蓄電池１００と、電力系統８００から解列される発電機２００とが並列接続されている場合に、パワーコンディショナ１１０の制御により、発電機２００が電力系統８００から頻繁に解列される可能性を低減することができる。
【０１３２】
（２）補正部１４４は、動作信号を受け付けたときの受電電力と、受電電力設定値α１との差分を算出し、差分に基づいて受電電力設定値α１を補正する、パワーコンディショナ１１０。
【０１３３】
上記構成によると、遮断器２２０の遮断動作時の負荷変動の状況を考慮して受電電力設定値α１を補正するため、遮断器２２０が遮断動作する可能性をより低減することができる。
【０１３４】
（３）電力系統８００および第１の分散型電源に接続されるパワーコンディショナ１１０Ａ、１１０Ｂ、１１０Ｄであって、電力系統８００から第１の分散型電源を切り離すための遮断器１２０と、第１の分散型電源の電力を制御するための制御機器１４０Ａ、１４０Ｂとを備え、制御機器１４０Ａ、１４０Ｂ、１４０Ｄは、電力系統８００からの受電電力を監視するための監視部１４１と、監視部１４１により監視されている電力系統８００からの受電電力が動作設定値Ｒｐｒ１以下になった場合に、遮断器１２０を遮断動作させるための遮断制御部１４２と、蓄電池１００Ａから出力される出力電力を監視するための出力監視部１４５と、出力監視部１４５により監視される出力電力に基づいて、動作設定値Ｒｐｒ１よりも大きい値に予め設定された、電力系統８００から受電する電力を設定する受電電力設定値α１を補正するための補正部１４４とを含む、パワーコンディショナ１１０Ａ、１１０Ｂ、１１０Ｄ。
【０１３５】
上記構成によると、パワーコンディショナ１１０Ａは、制御対象とする第１の分散型電源の出力電力値に基づいて受電電力設定値α１を補正するため、他の分散型電源が蓄電池１００Ａに並列接続された場合であっても、互いの電力を有効に活用することができる。
【０１３６】
（４）補正部１４４は、出力監視部１４５により出力電力が低下したと判断されるまで受電電力設定値α１を大きくする補正をする、パワーコンディショナ１１０Ａ。
【０１３７】
上記構成によると、他の分散型電源が第１の分散型電源に並列接続された場合であっても、両者の電力利用の偏りが低減され、各々の寿命を延ばすことができる。
【０１３８】
（５）補正部１４４は、受電電力設定値α１が予め定められた値になった場合には、受電電力設定値α１を大きくする補正を中断する、パワーコンディショナ１１０Ａ。
【０１３９】
上記構成によると、他の分散型電源が存在しない場合に、無駄に受電電力設定値α１を大きくする事態を防ぐことができ、第１の分散型電源の電力を有効に活用できる。
【０１４０】
（６）補正部１４４は、出力電力が第１の閾値以上である状態が一定時間以上継続していると出力監視部１４５により判断された場合に受電電力設定値α１を大きくする補正をし、出力電力が第１の閾値よりも小さい第２の閾値以下である状態が一定時間継続していると出力監視部１４５により判断された場合に、受電電力設定値α１を小さくする補正をする、パワーコンディショナ１１０Ａ。
【０１４１】
上記構成によると、他の分散型電源が第１の分散型電源に並列接続された場合であっても、第１の分散型電源の電力と他の分散型電源の電力とが交互に活用されることから、各分散型電源の電力利用の偏りが低減され、各々の寿命を延ばすことができる。
【０１４２】
（７）制御機器１４０Ｂは、第１の分散型電源に関する第１の電源情報および電力系統８００に接続される第２の分散型電源に関する第２の電源情報の入力を受け付けるための電源情報入力部１４６をさらに備え、補正部１４４は、出力監視部１４５により監視される出力電力と、電源情報入力部１４６により受け付けられた第１および第２の電源情報とに基づいて、受電電力設定値α１を補正する、パワーコンディショナ１１０Ｂ。
【０１４３】
上記構成によると、パワーコンディショナ１１０Ｂが制御対象とする第１の分散型電源と、第２の分散型電源の電源情報を考慮して受電電力設定値α１を補正するため、各電源情報に応じた適切な発電機を優先的に利用することが可能となる。
【０１４４】
（８）分散型電源は蓄電池１００であり、制御機器１４０Ｄは、電力系統８００に接続される発電機２００に接続されたヒータ７００の消費電力に関する消費電力情報の入力を受け付けるための消費情報入力部１４７と、消費情報入力部１４７により受け付けられた消費電力情報に基づいて、蓄電池１００の充放電を制御するための電力制御部１４９とをさらに備え、補正部１４４は、出力監視部１４５により出力電力が低下したと判断されるまで受電電力設定値α１を大きくする補正をし、電力制御部１４９は、消費電力が予め定められた消費電力値以上になった場合に、蓄電池１００を充電制御する、パワーコンディショナ１１０Ｄ。
【０１４５】
上記構成によると、パワーコンディショナ１１０Ｄがヒータ７００での消費電力に基づいて蓄電池１００を充電制御することで、第２の分散型電源に接続されたヒータ７００での電力消費を回避することができる。
【０１４６】
（９）第１の電源情報は、発電機２００Ａの発電効率を示す情報を含み、第２の電源情報は、発電機２００Ｂの発電効率を示す情報を含み、補正部１４４は、発電機２００Ａの発電効率が発電機２００Ｂの発電効率よりも高い場合には、出力電力が第１の閾値以上になるまで受電電力設定値α１を小さくする補正をし、発電機２００Ａの発電効率が発電機２００の発電効率よりも低い場合には、出力電力が第１の閾値よりも小さい第２の閾値以下になるまで受電電力設定値α１を大きくする補正をする、パワーコンディショナ１１０Ｂ。
【０１４７】
上記構成によると、パワーコンディショナ１１０Ｂが制御対象とする発電機２００Ａおよび、他の発電機２００Ｂのうち発電効率の高い発電機を優先的に利用することが可能となる。
【０１４８】
（１０）第１の電源情報は、第１の分散型電源が自然エネルギーを利用するものか否かを示す情報を含み、第２の電源情報は、第２の分散型電源が自然エネルギーを利用するものか否かを示す情報を含み、補正部１４４は、第１の分散型電源が自然エネルギーを利用するものであり、電力系統８００に接続される第２の分散型電源が自然エネルギーを利用しないものである場合には、出力電力が第１の閾値以上になるまで受電電力設定値α１を小さくする補正をし、第１の分散型電源が自然エネルギーを利用しないものであり、電力系統８００に接続される第２の分散型電源が自然エネルギーを利用するものである場合には、出力電力が第１の閾値よりも小さい第２の閾値以下になるまで受電電力設定値α１を大きくする補正をする、パワーコンディショナ１１０Ｂ。
【０１４９】
上記構成によると、パワーコンディショナ１１０Ｂが制御対象とする第１の分散型電源、および他の分散型電源のうち、自然エネルギーを利用する分散型電源を優先的に利用することが可能となる。
【０１５０】
（１１）電力系統８００および蓄電池１００に接続されるパワーコンディショナ１１０Ｄであって、電力系統８００から蓄電池１００を切り離すための遮断器１２０と、蓄電池１００の電力を制御するための制御機器１４０Ｄとを備え、制御機器１４０Ｄは、電力系統８００からの受電電力を監視するための監視部１４１と、監視部１４１により監視されている電力系統８００からの受電電力が動作設定値Ｒｐｒ１以下になった場合に、遮断器１２０を遮断動作させるための遮断制御部１４２と、電力系統８００に接続される発電機２００に接続されたヒータ７００の消費電力に関する消費電力情報の入力を受け付けるための消費情報入力部１４７と、消費情報入力部１４７により受け付けられた消費電力情報に基づいて、動作設定値Ｒｐｒ１よりも大きい値に予め設定された、電力系統８００から受電する電力を設定する受電電力設定値α１を補正する補正部１４４とを備える、パワーコンディショナ１１０Ｄ。
【０１５１】
上記構成によると、パワーコンディショナ１１０Ｄが蓄電池１００の電力を制御することで、他の分散型電源に接続されたヒータ７００での電力消費を回避することができる。  
【０１５２】
（１２）電力系統８００および蓄電池１００に接続されるパワーコンディショナ１１０Ｅであって、電力系統８００から蓄電池１００を切り離すための遮断器１２０と、蓄電池１００の電力を制御するための制御機器１４０とを備え、制御機器１４０は、電力系統８００からの受電電力を監視するための監視部１４１と、監視部１４１により監視されている電力系統８００からの受電電力が動作設定値Ｒｐｒ１以下になった場合に、遮断器１２０を遮断動作させるための遮断制御部１４２と、蓄電池１００の電池残量を示す電池残量情報の入力を受け付けるための残量情報入力部１４８と、蓄電池１００の充電時に、残量情報入力部１４８により受け付けられた電池残量に基づいて、動作設定値Ｒｐｒ１よりも大きい値に予め設定された、電力系統８００から受電する電力を設定する受電電力設定値α１を補正するための補正部１４４とを備える、パワーコンディショナ１１０Ｅ。
【０１５３】
上記構成によると、パワーコンディショナ１１０Ｅは、蓄電池１００の電池残量を考慮して充電制御を行ない、負荷変動に対する変動許容量を大きくすることで遮断器の遮断動作を防止することができる。
【０１５４】
なお、上述した実施の形態において、他の実施の形態で説明した処理や構成を適宜採用して実施する場合であってもよい。
【０１５５】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１５６】
１００，１００Ａ，１００Ｂ  蓄電池、１１０，２１０  パワーコンディショナ、１２０，２２０  遮断器、１３０，２３０  電力変換装置、１４０，２４０  制御機器、１４１  監視部、１４２  遮断制御部、１４３  入力部、１４４  補正部、１４５  出力監視部、１４６  電源情報入力部、１４７  消費情報入力部、１４８  残量情報入力部、１４９  電力制御部、２００  発電機、３００  家電機器、６００  電力検知器、７００  ヒータ、８００  電力系統、１０００，１１００，１２００，１３００，１４００  電力制御システム。
【図１】
2015050897.tif 000003
【図２】
2015050897.tif 000004
【図３】
2015050897.tif 000005
【図４】
2015050897.tif 000006
【図５】
2015050897.tif 000007
【図６】
2015050897.tif 000008
【図７】
2015050897.tif 000009
【図８】
2015050897.tif 000010
【図９】
2015050897.tif 000011
【図１０】
2015050897.tif 000012
【図１１】
2015050897.tif 000013
【図１２】
2015050897.tif 000014
【図１３】
2015050897.tif 000015
【図１４】
2015050897.tif 000016
【図１５】
2015050897.tif 000017
【図１６】
2015050897.tif 000018
【図１７】
2015050897.tif 000019
【図１８】
2015050897.tif 000020